【手続補正書】
【提出日】平成30年9月4日(2018.9.4)
【手続補正１】
【補正対象書類名】特許請求の範囲
【補正対象項目名】全文
【補正方法】変更
【補正の内容】
【特許請求の範囲】
【請求項１】
液晶素子を駆動する液晶駆動装置であって、
入力画像を取得する画像取得手段と、
前記入力画像に基づいて、１フレーム期間に含まれる複数のサブフレーム期間のそれぞれにおいて前記液晶素子の画素に対する第１の電圧の印加と前記第１の電圧より低い第２の電圧の印加を制御することで該画素に階調を形成させる駆動手段とを有し、
前記画素に対して前記第１の電圧が印加される前記サブフレーム期間をオン期間とし、前記第２の電圧が印加される前記サブフレーム期間をオフ期間とするとき、
前記駆動手段は、前記画素に階調を形成させる際に、前記１フレーム期間内に、それぞれ１つまたは連続した２つ以上の前記オン期間からなる複数のオン期間群を互いに離して設け、
前記複数のオン期間群のそれぞれの時間中心の時間間隔を、前記１フレーム期間の６０％以下または５．０ｍｓ以下とすることを特徴とする液晶駆動装置。
【請求項２】
前記各オン期間群の時間長は、０．７ｍｓ以上であることを特徴とする請求項１に記載の液晶駆動装置。
【請求項３】
前記駆動手段は、前記１フレーム期間ごとに前記複数の画素に黒階調を形成させることを特徴とする請求項１または２に記載の液晶駆動装置。
【請求項４】
前記複数の画素において互いに隣接する２つの画素のうち第１の画素に対して前記オン期間となり、第２の画素に対して前記オフ期間となる前記サブフレーム期間をオン／オフ隣接期間とするとき、
前記駆動手段は、前記第１および第２の画素に互いに隣接する階調を形成させる際に、前記１フレーム期間内に、複数の前記オン／オフ隣接期間を互いに離して設けることを特徴とする請求項１から３のいずれか一項に記載の液晶駆動装置。
【請求項５】
前記複数のオン／オフ隣接期間をそれぞれ、１．０ｍｓ以下とすることを特徴とする請求項４に記載の液晶駆動装置。
【請求項６】
前記各オン期間群は、前記オン／オフ隣接期間における前記オン期間を含むことを特徴とする請求項４または５に記載の液晶駆動装置。
【請求項７】
前記第１の画素は、前記隣接する階調のうち高い方の階調を形成することを特徴とする請求項４から６のいずれか一項に記載の液晶駆動装置。
【請求項８】
前記各オン／オフ隣接期間は、０．３ｍｓ以上であることを特徴とする請求項４から７のいずれか一項に記載の液晶駆動装置。
【請求項９】
前記駆動手段は、前記第１および第２の画素に互いに隣接する階調を形成させる際に、それぞれ０．３ｍｓ以上の前記複数のオン／オフ隣接期間の間に０．６ｍｓ以上の前記オン／オフ隣接期間ではない前記サブフレーム期間を設けることを特徴とする請求項４から８のいずれか一項に記載の液晶駆動装置。
【請求項１０】
前記１フレーム期間は、
互いに異なる時間重みを有する２つ以上の前記サブフレーム期間を含む第１の期間と、
それぞれ互いに等しい時間重みを有する２つ以上の前記サブフレーム期間を含む第２の期間とを有し、
前記駆動手段は、前記複数のオン／オフ隣接期間を前記第２の期間に設けることを特徴とする請求項４から９のいずれか一項に記載の液晶駆動装置。
【請求項１１】
液晶素子と、
請求項１から１０のいずれか一項に記載の液晶駆動装置とを有することを特徴とする画像表示装置。
【請求項１２】
コンピュータに、液晶素子を駆動させるコンピュータプログラムであって、
前記コンピュータに、
入力画像を取得させ、
該入力画像に基づいて、１フレーム期間に含まれる複数のサブフレーム期間のそれぞれにおいて前記液晶素子の画素に対する第１の電圧の印加と前記第１の電圧より低い第２の電圧の印加を制御することで該画素に階調を形成させ、
前記画素に対して前記第１の電圧が印加される前記サブフレーム期間をオン期間とし、前記第２の電圧が印加される前記サブフレーム期間をオフ期間とするとき、前記画素に階調を形成させる際に、前記１フレーム期間内に、それぞれ１つまたは連続した２つ以上の前記オン期間からなる複数のオン期間群を互いに離して設けさせ、
前記複数のオン期間群のそれぞれの時間中心の時間間隔を、前記１フレーム期間の６０％以下または５．０ｍｓ以下にさせることを特徴とする液晶駆動プログラム。
【手続補正２】
【補正対象書類名】明細書
【補正対象項目名】００１６
【補正方法】変更
【補正の内容】
【００１６】
本発明の一側面としての液晶駆動装置は、液晶素子を駆動する。該装置は、入力画像を取得する画像取得手段と、該入力画像に基づいて、１フレーム期間に含まれる複数のサブフレーム期間のそれぞれにおいて液晶素子の画素に対する第１の電圧の印加と該第１の電圧より低い第２の電圧の印加を制御することで該画素に階調を形成させる駆動手段とを有する。画素に対して第１の電圧が印加されるサブフレーム期間をオン期間とし、第２の電圧が印加されるサブフレーム期間をオフ期間とするとき、駆動手段は、画素に階調を形成させる際に、１フレーム期間内に、それぞれ１つまたは連続した２つ以上のオン期間からなる複数のオン期間群を互いに離して設け、複数のオン期間群のそれぞれの時間中心の時間間隔を、１フレーム期間の６０％以下または５．０ｍｓ以下とすることを特徴とする。
【手続補正３】
【補正対象書類名】明細書
【補正対象項目名】００１８
【補正方法】変更
【補正の内容】
【００１８】
また、本発明の他の一側面としての液晶駆動プログラムは、コンピュータに、入力画像に基づいて液晶素子を駆動させるコンピュータプログラムである。該プログラムは、コンピュータに、入力画像を取得させ、該入力画像に基づいて、１フレーム期間に含まれる複数のサブフレーム期間のそれぞれにおいて液晶素子の画素に対する第１の電圧の印加と該第１の電圧より低い第２の電圧の印加を制御することで該画素に階調を形成させる。画素に対して第１の電圧が印加されるサブフレーム期間をオン期間とし、第２の電圧が印加されるサブフレーム期間をオフ期間とするとき、画素に階調を形成させる際に、コンピュータに、１フレーム期間内に、それぞれ１つまたは連続した２つ以上のオン期間からなる複数のオン期間群を互いに離して設けさせ、複数のオン期間群のそれぞれの時間中心の時間間隔を、１フレーム期間の６０％以下または５．０ｍｓ以下にさせることを特徴とする。
【手続補正４】
【補正対象書類名】明細書
【補正対象項目名】００６９
【補正方法】変更
【補正の内容】
【００６９】
この階調データによれば、４８階調の白黒表示は、経過時間順に、１ＳＦで黒表示、２ＳＦ，３ＳＦおよび４ＳＦで白表示、５ＳＦと６ＳＦで黒表示、７ＳＦ，８ＳＦおよび９ＳＦで白表示、１０ＳＦで黒表示となり、１フレーム期間内で白表示が２回行われる。このとき、１フレーム目における２ＳＦ〜４ＳＦの白表示における時間中心は３ＳＦの時間中心（★で示す）である。以下の説明では、白表示が行われる１つまたは連続した２つ以上のオン期間をオン期間群といい、オン期間群の時間中心をオン時間中心という。また、７ＳＦ〜９ＳＦのオン期間群のオン時間中心は８ＳＦの時間中心（★で示す）である。次の２フレーム目では黒挿入が行われるため白表示のオン期間は発生しない。さらに次の３フレーム目では、１フレーム目と同じ白黒表示が行われる。
【手続補正５】
【補正対象書類名】明細書
【補正対象項目名】００７６
【補正方法】変更
【補正の内容】
【００７６】
本実施例において、図１４に示した階調データによって図６に示したＡ画素ラインの画素（第２の画素）に１６階調を表示させ、Ｂ画素ラインの画素（第１の画素）に１７階調を表示させる場合について説明する。この階調データを用いる場合にディスクリネーションが発生する期間は、Ａ画素ラインの画素とＢ画素ラインの画素が上記ディスクリネーション発生表示状態となるＢサブフレーム期間における５ＳＦと６ＳＦである。５ＳＦの前の４ＳＦではＡ画素ラインの画素およびＢ画素ラインの画素のいずれも黒表示状態であり、ディスクリネーションは発生しない期間である。５ＳＦでの液晶の応答特性は、図１０における「ディスクリネーション有り」に相当する特性となる。４ＳＦでは全黒表示状態であるため明るさは０％であり、５ＳＦの０．６９ｍｓの間にディスクリネーションが発生するため、５ＳＦの開始時が図１０の０ｍｓに相当し、５ＳＦの終了時が０．６９ｍｓに相当する。このとき、明るさは、ディスクリネーションが発生しない場合の０．２５に対して０．１８までしか低下しない。